(57)【要約】      （修正有）【課題】走査回数を増すことなく、隣接するバンド間で複数の異なる色のインクの付与順序を一致させることを可能とするインクジェット記録装置を提供する。【解決手段】往方向の走査と復方向の走査とからなる４回の走査を行うとともに、４回の走査における連続する２回の走査の間に所定量の記録媒体の搬送を行うことにより、所定量に対応する幅を有した、記録媒体のバンドの記録を完成するマルチパス記録を行う記録制御部であって、４回の走査のうち第１回目の走査が往方向となるバンドＡの記録では、第１回の走査で４つのノズル列の配列で往方向において最も後側に配置されたＢｋインクのノズル列のみのノズルから記録媒体にインクを吐出し、第１回目の走査が復方向となる、バンドＡに隣接するバンドＢの記録では、４回目のの走査で、４つノズル列の配列で復方向において最も後側に配置されたＣインクのノズル列のみのノズルから記録媒体にインクを吐出する。【選択図】図８
2017144588.tif 000002
【特許請求の範囲】
【請求項１】
異なる種類のインクを吐出するための複数のノズル列を配列した記録ヘッドを、当該ノズル列の配列方向に沿った第１方向と該第１方向と逆方向の第２方向に走査して記録媒体に記録を行うインクジェット記録装置であって、
前記第１方向の走査と前記第２方向の走査とからなる複数回の走査を行うとともに、前記複数回の走査における連続する２回の走査の間に所定量の記録媒体の搬送を行うことにより、前記所定量に対応する幅を有した、記録媒体の所定領域の記録を完成するマルチパス記録の制御を行う記録制御手段であって、
前記複数回の走査のうち、第１回目の走査が前記第１方向となる、第１の前記所定領域の記録では、前記第１回の走査で、前記複数のノズル列の配列で当該第１方向において最も後側に配置されたノズル列のみのノズルから記録媒体にインクを吐出し、
前記複数回の走査のうち、第１回目の走査が前記第２方向となる、前記第１の所定領域に隣接する第２の前記所定領域の記録では、最終回の走査で、前記複数のノズル列の配列で当該第２方向において最も後側に配置されたノズル列のみのノズルから記録媒体にインクを吐出する、
よう制御する記録制御手段、
を具えたことを特徴とするインクジェット記録装置。
【請求項２】
前記記録制御手段は、前記複数のノズル列それぞれに対応したマスクパターンであって、ノズルからのインク吐出を許容する画素の割合である記録許容比率が定められたマスクパターンを用い、走査ごとの前記複数のノズル列それぞれにおけるノズルからのインク吐出を許容または非許容を定めることを特徴とする請求項１に記載のインクジェット記録装置。
【請求項３】
前記記録制御手段は、前記第１の所定領域の記録では、前記複数回の走査のうち、前記第１回目の走査以外の走査で、前記第１方向において最も後側に配置されたノズル列以外のノズル列に対応するマスクパターンであって、前記第１方向において最も後側に配置されたノズル列に対応するマスクパターンの記録許容比率より大きい記録許容比率のマスクパターンを用い、
前記第２の所定領域の記録では、前記複数回の走査のうち、前記最終回の走査以外の走査で、前記第２方向において最も後側に配置されたノズル列以外のノズル列に対応するマスクパターンであって、前記第２方向において最も後側に配置されたノズル列に対応するマスクパターンの記録許容比率より大きい記録許容比率のマスクパターンを用いることを特徴とする請求項２に記載のインクジェット記録装置。
【請求項４】
前記記録制御手段は、前記複数回の走査が偶数回の場合において、前記第１の所定領域の記録では、前記第２方向において最も後側に配置されたノズル列に対応するマスクパターンの記録許容比率が、前記第１方向において最も後側に配置されたノズル列に対応するマスクパターンの記録許容比率より大きいマスクパターンを用い、
前記第２の所定領域の記録では、前記第１方向において最も後側に配置されたノズル列に対応するマスクパターンの記録許容比率が、前記第２方向において最も後側に配置されたノズル列に対応するマスクパターンの記録許容比率より大きいマスクパターンを用いることを特徴とする請求項３に記載のインクジェット記録装置。
【請求項５】
前記記録制御手段は、前記複数回の走査が奇数回の場合において、前記第１の所定領域の記録では、前記第１方向において最も後側に配置されたノズル列に対応するマスクパターンの記録許容比率が、前記第２方向において最も後側に配置されたノズル列に対応するマスクパターンの記録許容比率より大きいマスクパターンを用い、
前記第２の所定領域の記録では、前記第２方向において最も後側に配置されたノズル列に対応するマスクパターンの記録許容比率が、前記第１方向において最も後側に配置されたノズル列に対応するマスクパターンの記録許容比率より大きいマスクパターンを用いることを特徴とする請求項３に記載のインクジェット記録装置。
【請求項６】
前記記録制御手段は、前記第１の所定領域の記録では、前記複数回の走査のうち、前記第１回目の走査以外の走査で、前記第１方向において最も後側に配置されたノズル列以外のノズル列に対応するマスクパターンであって、前記第１方向において最も後側に配置されたノズル列に対応するマスクパターンの記録許容比率より大きく、かつ当該複数のノズル列に対応するマスクパターンの間で等しい記録許容比率のマスクパターンを用い、
前記第２の所定領域の記録では、前記複数回の走査のうち、前記最終回の走査以外の走査で、前記第２方向において最も後側に配置されたノズル列以外のノズル列に対応するマスクパターンであって、前記第２方向において最も後側に配置されたノズル列に対応するマスクパターンの記録許容比率より大きく、かつ当該複数のノズル列に対応するマスクパターンの間で等しい記録許容比率のマスクパターンを用いることを特徴とする請求項３に記載のインクジェット記録装置。
【請求項７】
前記記録制御手段は、前記第１の所定領域の記録では、前記複数回の走査のうち、前記第１回目の走査で、前記前記第１方向において最も後側に配置されたノズル列のみ０でない記録許容比率のマスクパターンを用い、かつ、前記第１回目の走査および第２回目の走査で、単一ドット同士が接触して形成される連結ドットの生成頻度が相対的に高くなる記録許容比率のマスクパターンを用い、
前記第２の所定領域の記録では、前記複数回の走査のうち、前記最終回の走査で、前記前記第２方向において最も後側に配置されたノズル列のみ０でない記録許容比率のマスクパターンを用い、かつ、前記最終回の走査および該最終回の前の走査で、単一ドット同士が接触して形成される連結ドットの生成頻度が相対的に高くなる記録許容比率のマスクパターンを用いることを特徴とする請求項３に記載のインクジェット記録装置。
【請求項８】
異なる種類のインクを吐出するための複数のノズル列を配列した記録ヘッドを、当該ノズル列の配列方向に沿った第１方向と該第１方向と逆方向の第２方向に走査して記録媒体に記録を行うためのインクジェット記録方法であって、
前記第１方向の走査と前記第２方向の走査とからなる複数回の走査を行うとともに、前記複数回の走査における連続する２回の走査の間に所定量の記録媒体の搬送を行うことにより、前記所定量に対応する幅を有した、記録媒体の所定領域の記録を完成するマルチパス記録の制御を行う記録制御工程であって、
前記複数回の走査のうち、第１回目の走査が前記第１方向となる、第１の前記所定領域の記録では、前記第１回の走査で、前記複数のノズル列の配列で当該第１方向において最も後側に配置されたノズル列のみのノズルから記録媒体にインクを吐出し、
前記複数回の走査のうち、第１回目の走査が前記第２方向となる、前記第１の所定領域に隣接する第２の前記所定領域の記録では、最終回の走査で、前記複数のノズル列の配列で当該第２方向において最も後側に配置されたノズル列のみのノズルから記録媒体にインクを吐出する、
よう制御する記録制御工程、
を有したことを特徴とするインクジェット記録方法。
【発明の詳細な説明】
【技術分野】
【０００１】
本発明は、インクジェット記録装置およびインクジェット記録方法に関し、詳しくは、記録ヘッドの双方向走査に起因した色むらを低減する技術に関するものである。
【背景技術】
【０００２】
記録ヘッドの往走査と復走査の双方向で記録を行い、所定領域（以下、バンドともいう）の記録を完成する記録方式では、隣接するバンド間で、往走査記録と復走査記録の順序が異なり、それによってバンド間での色みの違いを生じることがある。このバンド間の色味の違いは画像全体で色むらとなって現れる。
【０００３】
特許文献１には、このような双方向記録に起因した色むらを解決可能な構成として、ノズル列のバンド幅に対応して分割して得られる複数のノズル領域のうち、走査回に応じて端部のノズル領域を不使用とすることが記載されている。具体的には、複数回の走査と続く２回の走査の間の記録媒体搬送によって１つのバンドの記録を完成するマルチパス記録において、ある走査ではノズル列における一方の端部のノズル領域のノズルを不使用とし、次の走査では他方の端部のノズル領域のノズルを不使用とする。また、１つのバンドの記録を完成するための走査回数をＮとするときＮ＋１回の走査を行なう。これにより、例えば、１つのバンドの記録を完成するために必要な走査回数が４回の場合、総てのバンドについて５回の走査を行ない、第１走査が往路走査であるバンドにおいては第５走査（最終パス）は記録せず、また、第１走査が復路走査であるバンドにおいては第１走査は記録しないようにすることができる。その結果、いずれのバンドでも１回目の走査は往走査により記録され、２回目の走査は復走査で記録される、というように順に繰り返されて、４回目の走査は復走査で記録される。つまり、総てのバンドにおいて、ある走査回数のときに往路走査または復路走査のうちいずれで記録されるかの順番（記録動作における走査方向の組合せ）を一致させることができる。
【０００４】
特許文献１に記載の色むら低減技術は、走査方向配列する異なる色のインクそれぞれのノズル列について適用することにより、異なる色間で、隣接するバンド間の（総てのバンドにおける）、走査回に応じた走査方向の組み合わせを一致させることが可能である。それによって、異なる色のインクを用いて記録する場合のそれらインクの付与順序を隣接するバンド間で同じものとでき、バンド間の色むらを低減することができる。
【先行技術文献】
【特許文献】
【０００５】
【特許文献１】特許第５０９９１２５号公報
【発明の概要】
【発明が解決しようとする課題】
【０００６】
しかしながら、特許文献１に記載された技術では、総てのバンドにおいてインクの付与順序を一致させるために、端部のノズル領域を不使用とすることにより記録しない走査が存在し、それによって、バンドの記録を完成するのに１走査分余分に走査を行うことになる。その結果、特に、バンドの記録を完成するに必要な走査回数が比較的少ないマルチパス記録の場合に、スループットが低下するという問題がある。
【０００７】
本発明は、走査回数を増すことなく、隣接するバンド間で複数の異なる色（種類）のインクの付与順序を一致させることが可能なインクジェット記録装置およびインクジェット記録方法を提供することを目的とする。
【課題を解決するための手段】
【０００８】
上記課題を解決するために本発明は、異なる種類のインクを吐出するための複数のノズル列を配列した記録ヘッドを、当該ノズル列の配列方向に沿った第１方向と該第１方向と逆方向の第２方向に走査して記録媒体に記録を行うインクジェット記録装置であって、前記第１方向の走査と前記第２方向の走査とからなる複数回の走査を行うとともに、前記複数回の走査における連続する２回の走査の間に所定量の記録媒体の搬送を行うことにより、前記所定量に対応する幅を有した、記録媒体の所定領域の記録を完成するマルチパス記録の制御を行う記録制御手段であって、前記複数回の走査のうち、第１回目の走査が前記第１方向となる、第１の前記所定領域の記録では、前記第１回の走査で、前記複数のノズル列の配列で当該第１方向において最も後側に配置されたノズル列のみのノズルから記録媒体にインクを吐出し、前記複数回の走査のうち、第１回目の走査が前記第２方向となる、前記第１の所定領域に隣接する第２の前記所定領域の記録では、最終回の走査で、前記複数のノズル列の配列で当該第２方向において最も後側に配置されたノズル列のみのノズルから記録媒体にインクを吐出する、よう制御する記録制御手段、を具えたことを特徴とする。
【発明の効果】
【０００９】
以上の構成によれば、走査回数を増すことなく、隣接するバンド間で複数の異なる色（種類）のインクの付与順序を一致させることが可能となる。
【図面の簡単な説明】
【００１０】
【図１】本発明の一実施形態に係るシリアル方式のインクジェット記録装置の主要部を示す斜視図である。
【図２】マルチパス記録の一例を説明する図である。
【図３】本発明の一実施形態のインクジェット記録装置における制御系の構成を説明するブロック図である。
【図４】図３に示す記録制御部が吐出データを生成する際の画像処理を模式的に示したブロック図である。
【図５】本発明の一実施形態に係るマルチパス記録を行うためのデータ処理を示すフローチャートである。
【図６】本発明の一実施形態で用いる４パス用の基本的なマスクパターンを説明する図である。
【図７】（ａ）および（ｂ）は、図６に示すマスクパターンを、本発明の第１実施形態に係る４パス双方向のマルチパス記録に適用する形態を説明する図である。
【図８】（ａ）および（ｂ）は、図７に示すマスクパターンを用いた、第１実施形態に係る、双方向走査によるマルチパス記録を説明する図である。
【図９】（ａ）および（ｂ）は、図８に示した、第１実施形態のバンドＡおよびバンドＢに対するそれぞれのインク付与量制御におけるマスクパターンを設定する処理を示すフローチャートである。
【図１０】（ａ）および（ｂ）は、本発明の第２実施形態に係る４パス双方向のマルチパス記録で用いるマスクパターンを説明する図である。
【図１１】（ａ）および（ｂ）は、図１０に示すマスクパターンを用いた、第２実施形態に係る、双方向走査によるマルチパス記録を説明する図である。
【図１２】（ａ）および（ｂ）は、図１１に示した、第２実施形態のバンドＡおよびバンドＢに対するそれぞれのインク付与量制御で用いるマスクパターンを設定する処理を示すフローチャートである。
【図１３】（ａ）および（ｂ）は、本発明の第３実施形態に係る、４パス双方向のマルチパス記録にも用いるマスクパターンを説明する図である。
【図１４】（ａ）および（ｂ）は、第４実施形態の変形例に係るマスクパターンを説明する図である。
【図１５】（ａ）および（ｂ）は、本発明の第４の実施形態に係るマルチパス双方向記録で用いるマスクパターンの設定処理を示すフローチャートである。
【図１６】（ａ）および（ｂ）は、奇数パスの一例として５パスの双方向マルチパス記録において、図１５（ａ）および（ｂ）で設定したマスクパターンを説明する図である。
【図１７】（ａ）および（ｂ）は、本発明の第５実施形態に係るマルチパス双方向記録で用いるマスクパターンの設定処理を示すフローチャートである。
【図１８】（ａ）および（ｂ）は、本発明の第５実施形態に係る、５パス双方向のマルチパス記録にも用いるマスクパターンを説明する図である。
【図１９】（ａ）および（ｂ）は、第５実施形態の変形例に係る、５パス双方向のマルチパス記録にも用いるマスクパターンを説明する図である。
【図２０】（ａ）および（ｂ）は、本発明の第６実施形態に係るマルチパス双方向記録で用いるマスクパターンの設定処理を示すフローチャートである。
【図２１】（ａ）および（ｂ）は、本発明の第８実施形態に係るマルチパス双方向記録で用いるマスクパターンの設定処理を示すフローチャートである。
【図２２】（ａ）および（ｂ）は、第８実施形態に係るマルチパス記録にも用いるマスクパターンを説明する図である。
【発明を実施するための形態】
【００１１】
以下、図面を参照して本発明の実施形態を詳細に説明する。  
（第１実施形態）
＜装置構成＞
図１は、本発明の一実施形態に係るシリアル方式のインクジェット記録装置１００の主要部のみを示す斜視図であり、主要部以外の図示を省略している。図１において、インクジェットカートリッジ１０１は、４色のインク、図に示す例では、シアン（Ｃ）、マゼンタ（Ｍ）、イエロー（Ｙ）、ブラック（Ｂｋ）のインクがそれぞれ貯留された４つのインクタンクと、それぞれのインクに対応した４つの記録ヘッド１０２とによって構成されている。これら４つの記録ヘッド１０２のそれぞれは、インクを吐出するためのノズルが１２００ｄｐｉの密度で１２８０個配列されたノズル列（不図示）を備える。キャリッジ１０６は、上述の４つのインクジェットカートリッジ１０１を着脱自在に搭載し、ガイド軸１０７に案内されてＸ方向およびその逆方向（−Ｘ方向）の移動が可能に構成されている。このキャリッジ１０６の移動によって記録ヘッド２の、主走査方向に沿った往、復走査が可能となる。なお、記録を行なっていないとき、あるいは記録ヘッド１０２の回復処理などを行なうときは、キャリッジ１０６は、図１の破線で示した位置（ホームポジション：基準位置、以下、単に「ＨＰ」ともいう）に移動し、記録ヘッド１０２の回復処理や記録待機を可能とする。そして、記録開始命令があると、キャリッジ１０６の移動により、記録ヘッド１０２は、Ｘ方向および−Ｘ方向の記録媒体Ｐに対する走査を行う。図８などで後述されるように、記録ヘッド１０２における各色インクのノズル列の配列は、ＨＰ側から、Ｂｋ、Ｙ、Ｍ、Ｃの順となっている。また、本明細書では、キャリッジの移動領域におけるホームポジションとは逆側の端部の位置をバックポジション（以下では、単に「ＢＰ」ともいう）という。
【００１２】
記録媒体Ｐは、その搬送路において、記録ヘッド１０２の走査領域の上流側に設けられた、給紙ローラ１０５とピンチローラ１０６のローラ対と、下流側の排紙ローラ１０３と補助ローラ１０４のローラ対によって挟持されるとともに、給紙ローラ１０５と排紙ローラ１０３とが回転駆動されることにより、Ｙ方向（副走査方向）に搬送される。
【００１３】
以上の構成を有する本実施形態のインクジェット記録装置は、記録ヘッドの所定回数の走査と、各連続する２回の走査の間のバンド幅に相当する所定量の記録媒体搬送を行うことにより１つのバンドの記録を完成する、マルチパス記録でインクジェット記録を行なうことができる。
【００１４】
図２は、マルチパス記録の一例を説明する図である。図２において、本実施形態の１つの色のインクの記録ヘッド１０２（ノズル列）を示しているが、他の色の記録ヘッドについても以下の説明は同様である。そして、図２に示す例は、４回の走査で１バンド（所定領域）の記録を完成する４パス記録を示している。４パス記録の場合、記録ヘッド１０２におけるノズル列を構成する１２８０個のノズルは、４つのノズルブロックＡ，Ｂ，Ｃ，Ｄに４等分され、１つのノズルブロックは３２０個のノズルで構成される。そして、１つのバンドは、１つのノズルブロックに相当するバンド幅（副走査方向のサイズ）を有することになる。図２には、バンド２０−１，２０−２，２０−３、２０−４が示され、これらのバンドについて順次記録が完成されて行く。
【００１５】
図２に示す例では、先ず、例えば、往方向（第１方向）の第１回目の走査（以下、第１走査または１パス目という）において、バンド２０−１の第１走査の吐出データに基づいて、記録ヘッド１０２のノズルブロックＡのノズルからインクを吐出する。次に、記録媒体Ｐを、１つのノズルブロック分の３２０個のノズル配列長さ分だけ副走査方向（Ｙ方向）に搬送する。なお、図２においては、記録媒体Ｐを固定して、相対的に記録ヘッドがパスごとに矢印Ｙ方向と逆方向に移動するものして表記している。次に、復方向（上記第１方向と逆方向の第２方向）の第２走査（２パス目）で、バンド２０−１の第２走査の吐出データに基づいて、ノズルブロックＢのノズルからインクを吐出する。この走査では、同時に、ノズルブロックＡのノズルによってバンド２０−２に対する第１走査（１パス目）の記録が行なわれる。バンド２０−１に対して、ノズルブロックＣ、Ｄのノズルによって同様に、往方向の第３走査（３パス目）、復方向の第４走査（４パス目；ここでは最終回の走査または最終パス）の記録が行われ、バンド２０−１の記録が完成する。以下、同様の記録走査を繰り返すことにより、バンド２０−２、２０−３、・・・に対する記録が順次完成することになる。
【００１６】
＜制御系＞
図３は、本実施形態のインクジェット記録装置１００における制御系の構成を説明するブロック図である。記録制御部３０１は、記録装置１００全体の制御を行なう。例えば、記録制御部３０１は、モータドライバ３０４を制御することにより、搬送モータ３０７を駆動し、給紙ローラ１０５と排紙ローラ１０３を回転させる。また、モータドライバ３０５を制御することにより、キャリッジモータ３０８を駆動し、キャリッジ１０６を主走査方向に（＋Ｘ方向または−Ｘ方向に）移動させる。さらに、ヘッドドライバ３０６を制御することにより、記録ヘッド１０２からインクを吐出させる。インクを吐出するために必要な画像データは、外部に接続されたホストＰＣ３０３からインターフェイス３０２を介して記録制御部３０１に入力される。記録制御部３０１は、受信した画像データに所定の画像処理を施し、記録ヘッド１０２が吐出可能な吐出データを生成する。
【００１７】
＜画像処理＞
図４は、記録制御部３０１が吐出データを生成する際の画像処理を模式的に示したブロック図である。所定の画像処理が施され、記録装置が使用する複数のインク色のそれぞれに対して記録“１”）または非記録“０”を定めた２値データは、記録バッファ４０１に一時的に保存される。一方、マルチパス記録において各記録走査で実際に記録（インク吐出）を許容する記録許容画素“１”と非許容画素“０”を定めたマスクパターンは、記録モードごとにマスクバッファ４０３に予め格納されている。記録制御部３０１は、記録ヘッドの走査を行う度に記録バッファ４０１に格納されたその走査に該当する記録データ４０２と、マスクバッファ４０３に格納されたマスクパターン４０４を呼び出し、ＡＮＤ処理部４０５にてこれらの論理積演算を行なうようにする。そして、その結果をヘッドドライバ３０６に送信して、対応する走査を実行する。記録制御部３０１は、上記のような論理積演算を走査の度に実行する。このような処理を行なうことにより、記録媒体Ｐのバンドには、記録ヘッド１０２による複数回の記録走査によって段階的に画像が完成されて行く。
【００１８】
図５は、本実施形態に係るマルチパス記録を行うためのデータ処理を示すフローチャートである。このフローチャートに記載されている処理は、インクジェット記録装置１００とホストＰＣ３０３とによって実行されるものである。ホストＰＣ３０３を介してユーザーからの記録指示があると、パス数（Ｎ）が設定される。次いで、ホストＰＣ３０３にインストールされているプリンタドライバは、ＲＧＢ多値データを取得する（Ｓ５０１）。次に、プリンタドライバは、記録媒体の種類と記録品位とパス数（Ｎ）に対応づけられた３次元ルックアップテーブルを参照して、ＲＧＢ多値データをその記録モードで使用可能なインク色に対応したＣＭＹＢｋ多値データに変換する（Ｓ５０２）。次に、ＣＭＹＢｋ多値データに対して量子化処理を施して、ＣＭＹＢｋ２値データを生成する（Ｓ５０３）。ホストＰＣ３０３は、以上のようにして生成したＣＭＹＢｋ２値データを、インクジェット記録装置１００に送信し、記録バッファ４０１に一旦格納する。次に、記録バッファ４０１に格納されている記録データを読み出し、パス数（Ｎ）に対応したマスクパターンをマスクバッファ４０３から読み出し（Ｓ５０４）、ＡＮＤ処理部４０５にてマスク処理を行なう（Ｓ５０５）。
【００１９】
＜マスクパターン＞
図６は、本実施形態で用いる４パス用の基本的なマスクパターンを説明する図である。図６に示すように、本実施形態のマスクは、４回の走査において均等に２５％の記録許容比率のマスクパターンである。マスクパターン６０１は、各バンドの第１走査（１パス目）で用いるマスクパターン、マスクパターン６０２は同じく第２走査（２パス目）で用いるマスクパターン、マスクパターン６０３は同じく第３走査（３パス目）で用いるマスクパターン、マスクパターン６０４は同じく第４走査（４パス目）で用いるマスクパターンである。マスクパターン６０１〜６０４は、それぞれ４画素×４画素のマスクパターンであり、それぞれの格子が１２００ｄｐｉの１画素に対応している。このマスクデータは黒画素が、記録許容“１”、白画素が記録非許容“０”の２値データとして、マスクバッファ４０３に格納されている。本明細書では、このような記録許容画素の割合を、記録許容比率という。また、図６に示す総てのノズルに対して一定記録許容比率のマスクパターンを「フラットマスクパターン」と称する。
【００２０】
なお、上記の説明は、４画素×４画素の領域において、記録許容画素と記録非許容画素を配置したマスクパターンを例に説明したが、実際にマルチパス記録に採用するマスクパターンは、更にサイズを大きく設定することも出来るし、記録許容画素と非記録許容画素の配置が不規則になったマスクパターンを採用することも出来る。また、フラットマスクパターンのみならず、グラデーションマスクパターンの場合でも適用できることはもちろんである。
【００２１】
＜マスクを用いた各色のインク付与量制御＞
図７（ａ）および（ｂ）は、図６に示すマスクパターンを、本発明の第１実施形態に係る４パス双方向のマルチパス記録に適用する形態を説明する図であり、Ｃ、Ｍ、Ｙ、Ｂｋインクそれぞれの記録ヘッド（ノズル列）に用いるマスクパターンを示している。また、図７（ａ）は、バンドを記録する第１回目の走査（１パス目）が往方向の走査となるバンド（例えば、図２に示したバンド２０−１、２０−３）の記録に用いる各インクに対応するマスクパターンである。一方、図７（ｂ）は、バンドを記録する第１回目の走査（１パス目）が復方向の走査となるバンド（例えば、図２に示したバンド２０−２、２０−４）の記録に用いる各インクに対応するマスクパターンである。なお、これらの図における、３２０個のノズルからなる各ノズルブロックに対応したマスクパターンは、４つのノズルに対応する４画素×４画素のパターンのみを示しており、この４画素×４画素の記録許容画素の配置パターンがノズル配列方向および走査方向にそれぞれ８０パターン繰り返し表れるパターンである。また、符号６００、６０１〜６０４でそれぞれ示される４画素×４画素の記録許容画素の配置が、同じ配置であることを示している。
【００２２】
詳しくは、図７（ａ）において、（ａ）−１、（ａ）−２、（ａ）−３は、それぞれＣインク、Ｍインク、Ｙインクの記録ヘッドに適用するマスクパターンを示している。これらのマスクパターンはそれぞれ、記録許容比率が、１パス目は０％のマスクパターン６００と、２、３、４パス目はそれぞれ２５％のマスクパターン６０２〜６０４である。そして、２、３、４パス目のマスクパターンは、記録許容画素の配置について相互に補完する関係となっている。すなわち、Ｃインク、Ｍインク、Ｙインクについては、記録許容画素が合計７５％で１つのバンドの画像を完成する。一方、（ａ）−４は、Ｂｋインクの記録ヘッドに適用するマスクであり、記録許容画素の比率が、１パス目〜４パス目それぞれ２５％のマスクパターン６０１〜６０４によって構成される。そして、これら４パスの記録許容画素の配置について相互に補完する関係となっている。すなわち、Ｂｋインクだけが、記録許容画素が合計１００％で１つのバンドの画像を完成する。
【００２３】
一方、図７（ｂ）に示す、図７（ａ）に示したマスクとは逆方向の走査で適用するマスクのうち、（ｂ）−１は、Ｃインクの記録ヘッドに適用するマスクであり、記録許容画素の比率が、１パス目〜４パス目それぞれの２５％のマスクパターン６０２〜６０４、６０１を有して構成される。そして、これらマスクパターンは、４パスの記録許容画素の配置について相互に補完する関係となっている。これに対し、（ｂ）−２、（ｃ）−３、（ｂ）−４は、それぞれＭインク、Ｙインク、Ｂｋインクの記録ヘッドに適用するマスクである。これらのマスクは、記録許容画素の比率が、１、２、３パス目はそれぞれ２５％のマスクパターン６０２〜６０４と、４パス目は０％のマスクパターン６００である。そして、１、２、３パス目のマスクパターンは、記録許容画素の配置について相互に補完する関係となっている。すなわち、Ｍインク、Ｙインク、Ｂｋインクについては、記録許容画素が合計７５％で１つのバンドの画像を完成する。
【００２４】
図８（ａ）および（ｂ）は、図７に示すマスクを用いた、本発明の第１実施形態に係る、双方向走査によるマルチパス記録を説明する図である。このうち、図８（ａ）は、本実施形態の４パスのマルチパス記録における走査ごとの、各色インクのノズル列に適用されるマスクパターン、および各色インクの記録順序（付与順序）を示し、図８（ｂ）は、記録を完成するバンドごとの適用するマスクパターンの記録許容比率を示している。これらの図において、符号Ｃ、Ｍ、Ｙ、Ｂｋで示される各色インクそれぞれの記録ヘッド１０２（ノズル列）の走査方向の配列は、上記各インクの付与順序を示すものであり、各走査で付与順序が先になるノズル列ほど左側に配置している。
【００２５】
ＨＰからＢＰへ向かう方向を往方向とするとき、図８（ａ）に示すように、往方向の第１走査では、Ｃ、Ｍ、Ｙ、Ｂｋインクの順序でインク付与が行われる。そして、Ｃインクのノズル列について、記録媒体の搬送方向（Ｙ方向）上流側から、図７（ａ）および（ｂ）に示した、マスク（ａ）−１または（ｂ）−１のうち、１パス目用のマスクパターン６００、２パス目用のマスクパターン６０３、３パス目用のマスクパターン６０３、４パス目用のマスクパターン６０１が対応するノズルブロックに適用される。Ｍ、Ｙ、Ｂｋインクについても同様に、図７（ａ）および（ｂ）に示した、マスク（ａ）−２、３、４または（ｂ）−２、３、４からそれぞれのマスクパターンが選択される。次に、第２走査では、Ｃインクのノズル列について、記録媒体の搬送方向（Ｙ方向）上流側から、図７（ａ）および（ｂ）に示した、マスク（ａ）−１または（ｂ）−１のうち、１パス目用のマスクパターン６０２、２パス目用のマスクパターン６０２、３パス目用のマスクパターン６０４、４パス目用のマスクパターン６０４が対応するノズルブロックに適用される。
【００２６】
以上、図８（ａ）に示した、各色インクのノズル列のノズルブロックに適用されるマスクを用いることにより、記録を完成するバンド（所定領域）ごとの記録は、図８（ｂ）に示すようになる。例えば、バンドＡでは、第１走査（１パス目）で、インクの付与順序と記録許容比率が、Ｃ：０％→Ｍ：０％→Ｙ：０％→Ｂｋ：２５％となる。次の第２走査（２パス目）で、インクの付与順序と記録許容比率が、Ｂｋ：２５％→Ｙ：２５％→Ｍ：２５％→Ｃ：２５％となる。さらに、次の第３走査（３パス目）で、インクの付与順序と記録許容比率が、Ｃ：２５％→Ｍ：２５％→Ｙ：２５％→Ｂｋ：２５％となる。最後に、第４走査（４パス目）で、インクの付与順序と記録許容比率が、Ｂｋ：２５％→Ｙ：２５％→Ｍ：２５％→Ｃ：２５％となる。これに対し、バンドＡに隣接するバンドＢでは、第２走査（１パス目）で、インクの付与順序と記録許容比率が、Ｂｋ：２５％→Ｙ：２５％→Ｍ：２５％→Ｃ：２５％となる。次の第３走査（２パス目）で、インクの付与順序と記録許容比率が、Ｃ：２５％→Ｍ：２５％→Ｙ：２５％→Ｂｋ：２５％となる。さらに、次の第４走査（３パス目）で、インクの付与順序と記録許容比率が、Ｂｋ：２５％→Ｙ：２５％→Ｍ：２５％→Ｃ：２５％となる。最後に、第５走査（４パス目）で、インクの付与順序と記録許容比率が、Ｃ：２５％→Ｍ：０％→Ｙ：０％→Ｂｋ：０％となる。
【００２７】
以上のとおり、本発明の第１実施形態によれば、先ず、バンドＡでは、Ｃ、Ｍ、Ｙインクそれぞれについては、４回の走査で相互に補完する、記録許容比率の合計が７５％の記録が行われ、また、Ｂｋインクについては、４回の走査で相互に補完する、記録許容比率の合計が１００％の記録が行われる。そして、このバンドＡについて、各色インク相互の付与順序は、Ｂｋ（１パス目の２５％＋２パス目の２５％）→Ｙ→Ｍ→Ｃ（２パス目の２５％＋３パス目の２５％）→Ｍ→Ｙ→Ｂｋ（３パス目の２５％＋４パス目の２５％）→Ｙ→Ｍ→Ｃとなる。一方、バンドＢについても、Ｂｋ、Ｍ、Ｙインクそれぞれについては、４回の走査で相互に補完する、記録許容比率の合計が７５％の記録が行われ、また、Ｃインクについては、４回の走査で相互に補完する、記録許容比率の合計が１００％の記録が行われる。そして、各色インク相互の付与順序は、Ｂｋ→Ｙ→Ｍ→Ｃ（１パス目の２５％＋２パス目の２５％）→Ｍ→Ｙ→Ｂｋ（２パス目の２５％＋３パス目の２５％）→Ｙ→Ｍ→Ｃ（３パス目の２５％＋４パス目の２５％）となる。このように、本実施形態によれば、４色のインクの付与順序は、隣接するバンドＡ、Ｂ間で同じ付与順序となる。その結果、パス数（走査回数）を増すことなく、双方向マルチパス記録における各色インクの付与順序を総てのバンドにおいて一致させることができ、バンド間に生じ得る色むらを低減することができる。
【００２８】
図９（ａ）および（ｂ）は、図８に示した第１実施形態のバンドＡおよびバンドＢに対するそれぞれのインク付与量制御で用いるマスクパターンを設定する処理を示すフローチャートであり、図５のステップＳ５０４で読み出しの際に行われるマスクパターンの設定処理を示している。マルチパス記録のパス数をＮとするとき、バンドＡについては、ステップＳ５０４（図５）で、Ｎ＝４パスのフラットマスクのマスクパターンを読み出し、ステップＳ９０１で、Ｃ、Ｍ、Ｙ、Ｂｋインクの記録ヘッド（ノズル列）から、最もＨＰ側のノズル列（往方向における最も後側のノズル列）とそれ以外のノズル列とを判別する。最もＨＰ側のノズル列の場合（ＹＥＳ判断）、ステップＳ９０２で、読み出した対応するマスクパターンの記録許容比率（記録許容画素の配置）をそのまま維持する（２５％）。最もＨＰ側のノズル列以外のノズル列と判別されたノズル列については、ステップＳ９０３で、１パス目の、読み出した対応するマスクパターンの記録許容比率（記録許容画素の配置）を０％とする。すなわち、マスクパターン６００を設定する。
【００２９】
一方、バンドＢについは、同様に、ステップＳ５０４（図５）で、Ｎ＝４パスのフラットマスクのマスクパターンを読み出し、ステップＳ９０４で、Ｃ、Ｍ、Ｙ、Ｂｋインクのノズル列から、最もＢＰ側（復方向における最も後側）のノズル列とそれ以外のノズル列とを判別する。最もＢＰ側のノズル列の場合（ＹＥＳ判断）、ステップＳ９０５で、読み出した対応するマスクパターンの記録許容比率（記録許容画素の配置）をそのまま維持する（２５％）。最もＢＰ側のノズル列以外のノズル列と判別されたノズル列については、ステップＳ９０６で、最終パス、本例では４パス目の、読み出した対応するマスクパターンの記録許容比率（記録許容画素の配置）を０％とする。すなわち、マスクパターン６００を作成する。
【００３０】
以上の処理によって、図８（ａ）および（ｂ）にて上述した記録動作を行うことができる。
【００３１】
なお、上述の例では、ノズル列の配置の判別の都度、読み出したマスクパターンの記録許容比率を０％にする処理を行うものとしたが、この形態に限られないことはもちろんである。上記判別の後に、マスクパターンの読み出しを行い、それぞれの対応するマスクパターンを得るようにしてもよい。
【００３２】
また、以上の説明では、ＨＰからＢＰへ向かう方向を往方向としたが、記録動作における往方向（第１方向）は逆であってもよいことはもちろんである。また、記録媒体に対する最初の記録が、復方向の走査から始まってもよいことはもちろんである。
【００３３】
また、上例では、１つのバンドを４パスの双方向走査で記録する例を説明したが、１つのバンドを記録するために必要な走査回数はこれに限定されない。例えば、２パスのなどより少ない走査回数または６パスなどより多い走査回数で１つのバンドを記録してもよい。また、記録に用いるインク色の数は４色に限定されず、３色などの少ない色数の場合でもよいし、また、５色以上の色数の多い場合でもよい。
【００３４】
＜画像形成及び双方向ムラの評価＞
評価用インクの組成
下記表記における「部」及び「％」は、特に断りのない限り質量基準を表している。
【００３５】
シアンインク
（１）分散液の作製
先ず、ベンジルアクリレートとメタクリル酸とを原料として、常法により、酸価２５０、数平均分子量３０００のＡＢ型ブロックポリマーを作り、水酸化カリウム水溶液で中和し、イオン交換水で希釈して均質な５０％ポリマー水溶液を作成した。
【００３６】
上記ポリマー溶液を２００ｇ、Ｃ．Ｉ．ピグメントブルー１５：３を１００ｇおよびイオン交換水を７００ｇ、を混合し、機械的に所定時間撹拌した後、遠心分離処理によって、粗大粒子を含む非分散物を除去してシアン分散液とした。得られたシアン分散液は、その顔料濃度が１０％質量％であった。
【００３７】
（２）インクの作製
インクの作製は、上記シアン分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度２％の顔料インクを調製した。
・上記シアン分散液        ２０部
・グリセリン              １０部
・ジエチレングリコール    １０部
・アセチレングリコールＥＯ付加物（川研ファインケミカル株式会社製）  ０．５部
・イオン交換水        ５９．５部
【００３８】
マゼンタインク
（１）分散液の作製
先ず、ベンジルアクリレートとメタクリル酸を原料として、常法により、酸価３００、数平均分子量２５００のＡＢ型ブロックポリマーを作り、水酸化カリウム水溶液で中和し、イオン交換水で希釈して均質な５０％ポリマー水溶液を作成した。
【００３９】
上記ポリマー溶液を１００ｇ、Ｃ．Ｉ．ピグメントレッド１２２を１００ｇおよびイオン交換水を８００ｇ、を混合し、機械的に所定時間撹拌した後、遠心分離処理によって、粗大粒子を含む非分散物を除去してマゼンタ分散液とした。得られたマゼンタ分散液は、その顔料濃度が１０％質量％であった。
【００４０】
（２）インクの作製
インクの作製は、上記マゼンタ分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度４％の顔料インクを調製した。
・上記マゼンタ分散液      ４０部
・グリセリン              １０部
・ジエチレングリコール    １０部
・アセチレングリコールＥＯ付加物（川研ファインケミカル株式会社製）  ０．５部
・イオン交換水        ３９．５部
【００４１】
イエローインク
（１）分散液の作製
先ず、アニオン系高分子Ｐ−１［スチレン／ブチルアクリレート／アクリル酸共重合体（重合比（重量比）＝３０／４０／３０）酸価２０２、重量平均分子量６５００に、水酸化カリウム水溶液で中和し、イオン交換水で希釈して均質な１０％ポリマー水溶液を作成した。
【００４２】
上記ポリマー溶液を３００ｇ、Ｃ．Ｉ．ピグメントイエロー７４を１００ｇおよびイオン交換水６００ｇを混合し、機械的に所定時間攪拌した後、遠心分離処理によって粗大粒子を含む非分散物を除去してイエロー分散液とした。得られたイエロー分散液は、その顔料濃度が１０％質量％であった。
【００４３】
（２）インクの作製
以下の成分を混合し、十分に攪拌して溶解・分散後、ポアサイズ１．０μｍのミクロフィルター（富士フィルム製）にて加圧濾過して、顔料濃度４％の顔料インクを調製した。
・上記イエロー分散液      ４０部
・グリセリン              １０部
・ジエチレングリコール    １０部
・アセチレングリコールＥＯ付加物（河権ファインケミカル株式会社正）    ０．５部
・イオン交換水        ３９．５部
【００４４】
ブラックインク
（１）分散液の作製
先ず、酸性カーボンブラック（ＭＡ−７７；三菱化学製、ｐＨ３のもの）を用いて、次亜塩素酸ソーダを用いた通常の液相酸化処理を行う。反応時間および反応温度を適宜調整することによって反応を行い、得られたスラリーをろ過し、顔料粒子を十分に水洗することで、顔料ウェットケーキが得られる。次に、この顔料ウェットケーキを水に再分散させて、電導度が０．２μｓになるまで逆浸透膜で脱塩する。さらに、この顔料分散液（ｐＨ＝８．５）を顔料濃度が１０％になるように濃縮して、自己分散型カーボンブラックが水中に分散された状態の顔料分散液を得た。得られたブラック分散液は、その顔料濃度が１０％質量％であった。
【００４５】
（２）インクの作製
上記方法で得られた顔料分散液を使用し、下記組成比を有する成分を混合し、十分に撹拌した後、ポアサイズ２．５μｍのメンブレンフィルタにて加圧ろ過して顔料を含有するインクを作製してインクとした。
・上記ブラック分散液      ３０部
・グリセリン              １０部
・ジエチレングリコール    １０部
・アセチレングリコールＥＯ付加物（川研ファインケミカル株式会社製）  ０．５部
・イオン交換水        ４９．５部
【００４６】
画像記録
記録媒体ＰとしてＣａｎｏｎ社製厚口コート紙ＨＧ（ＬＦＭ−ＣＰＨ／２４／１４５）を使用した。
【００４７】
双方向ムラの評価
本実施形態によって作成した記録サンプルにて、画像品質に対する双方向ムラの許容量を官能評価にて判定した結果、双方向ムラは目立たなかった。
【００４８】
（第２実施形態）
上述した第１実施形態では、図９に示したステップＳ９０３、Ｓ９０６で、記録許容比率を０％にする処理を行うものとした。このため、バンドＡとバンドＢと間で各色インクの付与順序は一致するが、合計の記録許容比率は異なる。例えば、Ｃインクについては、バンドＡでは、総記録許容比率は７５％になり、一方、バンドＢでは、総記録許容比率は１００％になる。このように隣接する記録領域（バンド）では、記録許容比率が異なったとしても、インク付与順序の方が双方向ムラの発生に対して支配的であることから、上述した第１実施形態は、各色インクのインク付与順序を同じものとした。
【００４９】
本発明の第２実施形態は、各色インクのインク付与順序を同じものとするとともに、バンドＡとバンドＢとの間で、記録許容比率を一致させる。これより、隣接する記録領域間での色味をより近いものとすることができる。なお、上述した第１実施形態と同様の部分については、その説明を省略する。
【００５０】
＜マスクを用いた各色のインク付与量制御＞
図１０（ａ）および（ｂ）は、本発明の第２実施形態に係る４パス双方向のマルチパス記録で用いるマスクパターンを説明する図であり、第１実施形態の図７と同様の図である。本実施形態は、上述のとおり、バンド間で、各色インクについて用いるマスクパターンの記録許容比率の合計が同じになるようにする。このことから、図７に示した第１実施形態のマスクパターンと異なる点は、４パス記録に用いるマスクパターンの一部のマスクパターンの記録許容比率を５０％とすることである。
【００５１】
具体的には、図１０（ａ）に示すように、バンドＡに用いるマスクパターンのうち、Ｃインク（（ａ）−１）の４パス目用のマスクパターン、Ｍインク（（ａ）−２）の２パス目用のマスクパターン、Ｙインク（（ａ）−３）の３パス目用のマスクパターンの記録許容比率（記録許容画素の配置）を５０％とする。これらのマスクパターンは、それぞれ合成したマスクパターン（６０４＋６０１）、（６０２＋６０１）、（６０３＋６０１）で構成されるものである。また、図１０（ｂ）に示すように、バンドＢに用いるマスクパターンのうち、Ｍインク（（ｂ）−２）の１パス目用のマスクパターン、Ｙインク（（ｂ）−３）の２パス目用のマスクパターン、Ｂｋインク（（ｂ）−４）の１パス目用のマスクパターンの記録許容比率（記録許容画素の配置）を５０％とする。そして、これらのマスクパターンは、それぞれ複合したマスクパターン（６０２＋６０１）、（６０３＋６０１）、（６０２＋６０１）で構成される。
【００５２】
図１１（ａ）および（ｂ）は、図１０に示すマスクパターンを用いた、第２実施形態に係る双方向走査によるマルチパス記録を説明する図であり、第１実施形態に係る図８と同様の図である。図８と同様、図１１（ａ）は、本実施形態の４パスのマルチパス記録における走査ごとの、各色インクのノズル列に適用されるマスクパターン、および各色インクの記録順序（付与順序）を示し、図１１（ｂ）は、記録を完成するバンドごとの適用するマスクパターンの記録許容比率を示している。また、符号Ｃ、Ｍ、Ｙ、Ｂｋで示される各色インクそれぞれのノズル列の走査方向の配列は、上記各インクの付与順序を示すものであり、各走査で付与順序が先になるノズル列ほど左側に配置している。以下では、図８にて上述した第１実施形態と異なる点を主に説明する。
【００５３】
図１１（ａ）に示すように、往方向の第１走査では、Ｃ、Ｍ、Ｙ、Ｂｋインクの順序でインク付与が行われる。そして、Ｃインクのノズル列について、マスクパターン（ａ）−１または（ｂ）−１のうち、１パス目用のマスクパターン６００、２パス目用のマスクパターン６０３、３パス目用のマスクパターン６０３、４パス目用のマスクパターン６０１が対応するノズルブロックに適用される。Ｍ、Ｙ、Ｂｋインクについても同様に、図１０（ａ）および（ｂ）に示した、マスクパターン（ａ）−２、３、４または（ｂ）−２、３、４からそれぞれのマスクパターンが選択される。次に、第１走査以外の第２走査では、Ｃインクのノズル列について、記録媒体の搬送方向（Ｙ方向）上流側から、図１０（ａ）および（ｂ）に示した、マスクパターン（ａ）−１または（ｂ）−１のうち、１パス目用のマスクパターン６０２、２パス目用のマスクパターン６０２、３パス目用のマスクパターン６０４、４パス目用のマスクパターン（６０４＋６０１）が対応するノズルブロックに適用される。この第２走査では、４パス目用のマスクパターンが合成された、記録許容比率が５０％のマスクパターンが所定のノズルブロックに用いられる。このようにして、図１０（ａ）および（ｂ）に示した、記録許容比率が５０％のマスクパターンが、走査回とノズルブロックに応じて用いられ、１つのバンドを記録するそれぞれのインク色の合計の記録許容比率が１００％となる。
【００５４】
以上、図１１（ａ）に示した、各色インクのノズル列のノズルブロックに適用されるマスクを用いることにより、記録を完成するバンド（所定領域）ごとの記録は、図１１（ｂ）に示すようになる。例えば、バンドＡでは、第１走査（１パス目）で、インクの付与順序と記録許容比率が、Ｃ：０％→Ｍ：０％→Ｙ：０％→Ｂｋ：２５％となる。次の第２走査（２パス目）で、インクの付与順序と記録許容比率が、Ｂｋ：２５％→Ｙ：２５％→Ｍ：５０％→Ｃ：２５％となる。さらに、次の第３走査（３パス目）で、インクの付与順序と記録許容比率が、Ｃ：２５％→Ｍ：２５％→Ｙ：５０％→Ｂｋ：２５％となる。最後に、第４走査（４パス目）で、インクの付与順序と記録許容比率が、Ｂｋ：２５％→Ｙ：２５％→Ｍ：２５％→Ｃ：５０％となる。これに対し、バンドＢでは、第２走査（１パス目）で、インクの付与順序と記録許容比率が、Ｂｋ：５０％→Ｙ：２５％→Ｍ：５０％→Ｃ：２５％となる。次の第３走査（２パス目）で、インクの付与順序と記録許容比率が、Ｃ：２５％→Ｍ：２５％→Ｙ：５０％→Ｂｋ：２５％となる。さらに、次の第４走査（３パス目）で、インクの付与順序と記録許容比率が、Ｂｋ：２５％→Ｙ：２５％→Ｍ：２５％→Ｃ：２５％となる。最後に、第５走査（４パス目）で、インクの付与順序と記録許容比率が、Ｃ：２５％→Ｍ：０％→Ｙ：０％→Ｂｋ：０％となる。
【００５５】
以上のとおり、本発明の第２実施形態によれば、バンドＡについて、各色インク相互の付与順序は、Ｂｋ（２５％＋２５％）→Ｙ（２５％）→Ｍ（５０％）→Ｃ（２５％＋２５％）→Ｍ（２５％）→Ｙ（５０％）→Ｂｋ（２５％＋２５％）→Ｙ（２５％）→Ｍ（２５％）→Ｃ（５０％）となる。一方、バンドＢについても、各色インク相互の付与順序は、Ｂｋ（５０％）→Ｙ（２５％）→Ｍ（５０％）→Ｃ（２５％＋２５％）→Ｍ（２５％）→Ｙ（５０％）→Ｂｋ（２５％＋２５％）→Ｙ（２５％）→Ｍ（２５％）→Ｃ（２５％）となる。加えて、Ｃ、Ｍ、Ｙ、Ｂｋインクの総てについて、いずれのバンドでも、記録許容比率の合計を１００％とすることができる。これにより、バンド間の色むらをさらに低減することができる。
【００５６】
図１２（ａ）および（ｂ）は、図１１に示した、第２実施形態のバンドＡおよびバンドＢに対するそれぞれのインク付与量制御で用いるマスクパターンを設定する処理を示すフローチャートであり、図９（ａ）および（ｂ）と同様の図である。
【００５７】
第１実施形態に係る図（ａ）および（ｂ）に示す処理と異なる点は、ステップＳ１００１、Ｓ１００２の処理である。すなわち、ステップＳ９０３で、最もＨＰ側のノズル列以外のノズル列と判別されたノズル列について、１パス目の、読み出した対応するマスクパターンの記録許容比率（記録許容画素の配置）を０％とした後、ステップＳ１００１で、０％としたマスクパターンに対応したノズル列それぞれについて、記録許容比率２５％を１パス目以外のパスのいずれかのマスクパターンに合成する。これによって、図１１（ｂ）に示すバンドＡでは、第２走査（２パス目）のＭインクのマスクパターンが５０％となり、第３走査（３パス目）のＹインクのマスクパターンが５０％となり、第４走査（４パス目）のＣインクのマスクパターンが５０％となる。また、ステップＳ９０６で、最もＢＰ側のノズル列以外のノズル列と判別されたノズル列について、４パス目の、読み出した対応するマスクパターンの記録許容比率（記録許容画素の配置）を０％とした後、ステップＳ１００２で、０％としたマスクパターンに対応したノズル列それぞれについて、記録許容比率２５％を４パス目以外のパスのいずれかのマスクパターンに合成する。これによって、図１１（ｂ）に示すバンドＢでは、第２走査（１パス目）のＢｋおよびＭインクのマスクパターンがそれぞれ５０％となり、第３走査（２パス目）のＹインクのマスクパターンが５０％となる。
【００５８】
（第３実施形態）
上述の第２実施形態では、図１２に示すステップＳ１００１、Ｓ１００２で、記録許容比率の他のパスへの合成を、１つのパスのみにしていた。これに対し、本実施形態は、記録許容比率の合成先を複数のパスとする。
【００５９】
＜マスクを用いた各色のインク付与量制御＞
図１３（ａ）および（ｂ）は、本発明の第３実施形態に係る、４パス双方向のマルチパス記録にも用いるマスクパターンを説明する図であり、それぞれバンドＡおよびバンドＢを記録するときのＣ、Ｍ、Ｙ、Ｂｋインクそれぞれに対応するマスクパターンの記録許容比率を示している。図１３（ａ）に示すように、例えば、バンドＡを記録するＣインクのマスクは、第２実施形態に係る図１０（ａ）に示したのと同じで、記録許容比率は、１パス目から順に、０％→２５％→２５％→５０％である。これに対し、Ｍインクについては、１パス目の記録許容比率０％の分に対応する２５％を、２パス目、３パス目にそれぞれ等分して分配し（１２．５％）、それぞれの記録許容比率を３７．５％とする。バンドＢの記録も同様に、図１３（ｂ）に示すように、Ｍインクについて、４パス目の記録許容比率０％の分に対応する２５％を、１パス目、２パス目にそれぞれ等分して分配し（１２．５％）、それぞれの記録許容比率を３７．５％とする。
【００６０】
このような本実施形態によれば、１つのパスの最大の記録許容比率は、３７．５％となり、１つのパスの記録のインク付与量が多くなってインク溢れや滲みなどによる画質悪化を抑制することができる。
【００６１】
図１４（ａ）および（ｂ）は、第４実施形態の変形例に係るマスクパターンを説明する図であり、それぞれバンドＡおよびバンドＢを記録するときの、一例としてＭインクそれぞれに対応するマスクパターンの記録許容比率を示している。これら図における、マスクパターン（ａ）−２２および（ｂ）−２２のように、１パス目の記録許容比率が０％を補う分の２５％の分配先を３パスとしてもよい。この場合、１つのパスの最大の記録許容比率は３３．３％となる。
【００６２】
また、マスクパターン（ａ）−２３および（ｂ）−２３のように、分配先が複数パスの場合に、隣接する他インクの記録許容比率も考慮して、分配比率がパス間で異なるようにしてもよい。図に示す例では、バンドＡの記録では、２パス目に１５％、４パス目に１０％が分配される。また、バンドＢの記録では、１パス目に１５％、３パス目に１０％が分配される。
【００６３】
さらに、上述してきたフラットマスクではなく、グラデーションマスクを用いる場合も同様とすることができる。すなわち、マスクパターン（ａ）−２４および（ｂ）−２４のように、破線で示される記録許容比率の分布を、実線で示される記録許容比率とすることができる。詳しくは、バンドＡの記録では、マスクパターン（ａ）−２４のように、１パス目の記録許容比率を０％とした分を２、３および４パス目に分配し、かつ記録許容比率のグラデーションを維持するようにする。同様に、バンドＢの記録では、マスクパターン（ｂ）−２４のように、４パス目の記録許容比率を０％とした分を１、２および３パス目に分配し、かつ記録許容比率のグラデーションを維持するようにする。
【００６４】
この変形例によれば、各パスでのインク付与量が極端に多くなるパスが存在することを抑制し、インク溢れなどによる画質悪化をより抑制することができる。
【００６５】
（第４実施形態）
上述した第２、第３の実施形態では、Ｃ、Ｍ、Ｙ、Ｂｋインクのマスクパターンの記録許容比率の合計をそれぞれ１００％で記録する場合を例に説明したが、本実施形態は、各色インクのマスクパターンの記録許容比率が異なる場合に、記録許容比率が比較的多いインクのマスクパターンについて、他のパスへの分配を行う形態に関する。これにより、記録許容比率の少ないインクについては、従来のフラットマスク、グラデーションマスクを適用することになり、双方向ムラを低減しつつ処理速度の向上を図ることができる。
【００６６】
＜マスクを用いた各色のインク付与量制御＞
図１５（ａ）および（ｂ）は、本発明の第４の実施形態に係るマルチパス双方向記録で用いるマスクパターンの設定処理を示すフローチャートであり、図１２（ａ）および（ｂ）と同様の図である。
【００６７】
ここでは、Ｃ、Ｙ、Ｂｋインクのマスクパターンの記録許容比率の合計が１００％で、Ｍインクのマスクパターンの記録許容比率の合計が２０％である場合を例に説明する。図１５（ａ）に示すように、バンドＡを記録する場合、ステップＳ９０１で最もホームポジション側のノズル列以外のノズル列（インク）と判別されると、ステップＳ１５０１で、そのノズル列（インク）に対応するマスクパターンの記録許容比率が、総てのノズル列（総てのインク色）のマスクパターンの記録許容比率の合計の１０％以上か否かが判定される。この例のＣおよびＹインクのマスクパターンは記録許容比率の合計は１００％であることから、それは全インクの（１００／３２０＝）３１．２５％となり、ステップＳ１５０１で肯定（ＹＥＳ）判断判定され、ステップＳ９０３、Ｓ１００１の処理、すなわち、他のパスに分配する処理が行われる。これに対し、Ｍインクのマスクパターンは記録許容比率の合計は２０％であることから、それは全インクの（２０／３２０＝）６．２５％となる。この結果、ステップＳ１５０１で否定（ＮＯ）判断され、ステップＳ９０２の処理が行われる。同様に、図１５（ｂ）に示すように、バンドＢについては、ステップＳ９０４で否定判断されたＣ以外のインク（ノズル列）については、ステップＳ１５０２で、全インクのマスクパターンの記録許容比率の１０％以上か否かが判断される。ＹおよびＢｋインクのマスクパターンはそれぞれ記録許容比率が全インクのマスクパターンの３１．２５％なので、ステップＳ１５０２で肯定判断され、ステップＳ９０６、Ｓ１００２の処理、すなわち、他のパスへの分配が行われる。一方、Ｍインクの記録許容比率は全インクの６．２５％なので、ステップＳ１５０２で否定判断され、ステップＳ９０５の処理が行われる。以上の例のＭインクのマスクパターンように、記録許容比率が少ないため双方向ムラ悪化への影響が少ないインクを選定して従来のマスクパターンを適用することにより、双方向ムラを低減しつつ処理速度を向上させることができる。
【００６８】
なお、上記の説明では、記録許容比率が少ないインクが１種類の場合を例としたが、記録許容比率が少ないインクが２種類以上の場合にも本発明を適用できる。また、記録に必要なインク色数は４色に限定されず、５色以上の色数の多い場合でもあってもよい。
【００６９】
（第５実施形態）
上述した第１〜第４の実施形態は、４パスなど偶数パス（偶数回の走査）の場合を例に関するものであるが、奇数パス（奇数回の走査）の場合に、例えば、図１５に示すマスク設定処理を適用すると、バンドＡとバンドＢとでインク付与順序が異なることとなる。これに対し、本実施形態は、奇数パスで双方向マルチパス記録を行う場合に、バンドＢのマスク設定処理を変更し、偶数パスだけでなく、奇数パスの場合でも双方向ムラを低減する。
【００７０】
＜マスクを用いた各色のインク付与量制御＞
図１６（ａ）および（ｂ）は、奇数パスの一例として５パスの双方向マルチパス記録において、図１５（ａ）および（ｂ）で設定したマスクパターンを説明する図であり、図１６（ａ）はバンドＡの記録に用いるマスクパターン、図１６（ｂ）はバンドＢの記録に用いるマスクパターンをそれぞれ示している。Ｃ、Ｍ、Ｙ、Ｂｋインクそれぞれのマスクパターンの記録許容比率が１００％の場合に、５パス双方向のマルチパス記録を行う場合、バンドＡの記録では、最もＨＰ側のＢｋインクのマスクパターンは５パスそれぞれの記録許容比率が２０％となる。一方、Ｂｋインク以外のＣ、Ｍ、Ｙのマスクパターンは、１パス目の記録許容比率は０％になり、それぞれ図１６（ａ）に示すマスクパターンとなる。また、バンドＢでは、最もＢＰ側のＣインクのマスクパターンは５パスそれぞれの記録許容比率が２０％となる。それ以外のＭ、Ｙ、Ｂｋのマスクパターンは５パス目の記録許容比率が０％になり、図１６（ｂ）に示すマスクパターンとなる。
【００７１】
この場合、バンドＡのインク付与順は、Ｂｋ（４０％）→Ｙ（２５％）→Ｍ（２５％）→Ｃ（４０％）→Ｍ（２５％）→Ｙ（２５％）→Ｂｋ（４０％）→Ｙ（２５％）→Ｍ（２５％）→Ｃ（６０％）→Ｍ（２５％）→Ｙ（２５％）→Ｂｋ（２０％）となる。また、バンドＢのインク付与順は、Ｂｋ（４０％）→Ｙ（２５％）→Ｍ（２５％）→Ｃ（４０％）→Ｍ（２５％）→Ｙ（２５％）→Ｂｋ（４０％）→Ｙ（２５％）→Ｍ（２５％）→Ｃ（４０％）→Ｍ（２５％）→Ｙ（２５％）→Ｂｋ（２０％）→Ｃ（２０％）となる。このように、奇数パスの場合、図１５に示す処理によってマスクパターンを設定すると、バンドＡとバンドＢの間でインク付与順序が異なってしまう。
【００７２】
そこで、マスクパターン設定処理を図１７のように修正する。図１７（ａ）および（ｂ）は、本発明の第５実施形態に係るマルチパス双方向記録で用いるマスクパターンの設定処理を示すフローチャートである。これらの図に示すように、バンドＢの記録に用いるマスクパターンの設定について、ステップＳ９０４の前に、バンドＢの記録を完成するパス数が偶数か奇数かを判定するステップＳ１７０１を加える。パス数が偶数の場合には、上述した実施形態のように、ステップＳ９０５に進み、パス数が奇数の場合にはステップＳ１７０２に進む。そして、ノズル列（インク色）が最もＨＰ側か否かが判断される。ここで、最もＨＰ側のノズル列（インク）である場合は、ステップＳ９０５に進み、そうでないノズル列（インク）である場合は、ステップＳ１５０２に進む。これにより、バンドＢの記録するパス数が奇数の場合で、ノズル列が最もＨＰ側のノズル列（インク）である場合に、ステップＳ１５０２の処理を回避することができる。これにより、バンドＡとの間でインクの付与順序を同じものとすることができる。
【００７３】
図１８（ａ）および（ｂ）は、本発明の第５実施形態に係る、５パス双方向のマルチパス記録にも用いるマスクパターンを説明する図であり、図１７（ａ）および（ｂ）に示す処理によって設定されたマスクパターンを示している。図１８（ｂ）に示すように、バンドＢに用いるＢｋインクのマスクパターン（ｂ）−４は、５パスの総てについて記録許容比率が２０％のパターンとなる。その結果、バンドＢのインク付与順序は、Ｂｋ（２０％）→Ｙ（２５％）→Ｍ（２５％）→Ｃ（４０％）→Ｍ（２５％）→Ｙ（２５％）→Ｂｋ（４０％）→Ｙ（２５％）→Ｍ（２５％）→Ｃ（６０％）→Ｍ（２５％）→Ｙ（２５％）→Ｂｋ（４０％）となり、バンドＡとの間でそれぞれのインク付与順序が一致する。
【００７４】
また、バンドＢにおいて、図１７のステップＳ１７０２で肯定判断された、最もＨＰ側のインクであるＢｋについて、図１９（ｂ）に示すマスクパターン（ｂ）−４とすることもできる。これにより、バンドＡとバンドＢとの間でインク付与順序が一致するだけでなく、各インクの付与量をも一致させることができる。
【００７５】
なお、上述の説明では、５パス双方向のマルチパス記録を例としたが、３パス、また、７パス以上の奇数パスにおいても適用される。また、記録に必要なインクは４色に限定されず、５色以上の色数が多い場合にも適用される。
【００７６】
（第６実施形態）
上述の第１〜第５実施形態では、濃、淡インクを区別せずにマスクパターンを設定する形態について説明した。本実施形態は、濃、淡インクを区別し、淡インクについてはバンドＡ、バンドＢともに、従来のフラットマスクまたはグラデーションマスクを適用する。明度の高い画像は双方向ムラが元々目立ちにくいため、たとえ淡インクが多量に使われたとしても、淡インクのマスク制御は従来通りであってもよい。また、明度の低い画像は双方向ムラが目立ち易いが、この場合には淡インクの付与量が少ないため、従来と同様のマスクパターンを適用しても、双方向ムラへの影響は小さい。このように淡インクには、従来のマスクパターンを適用することで、色数が多い場合においても双方向ムラを低減しつつ処理速度の向上を図ることができる。
【００７７】
＜マスクを用いた各色のインク付与量制御＞
図２０（ａ）および（ｂ）は、本発明の第６実施形態に係るマルチパス双方向記録で用いるマスクパターンの設定処理を示すフローチャートである。図２０（ａ）に示すように、バンドＡについては、ステップＳ９０１で否定判断されたノズル列（インク）のうち、ステップＳ２００１で、肯定判断される淡インクについては、ステップＳ９０２に進み、従来のマスクパターンを設定する。また、図２０（ｂ）に示すように、バンドＢについては、偶数パスの場合で、ステップＳ９０４で否定判断されたノズル列（インク）のうち、ステップＳ２００２で、肯定判断される淡インクについては、ステップＳ９０５に進み、従来のマスクパターンを設定する。また、奇数パスの場合には、ステップＳ１７０２で否定判断されたインクのうち、ステップＳ２００２で、肯定判断される淡インクについては、ステップＳ９０５に進み、従来のマスクパターンを設定する。このように、本実施形態によれば、淡インクはバンドＡ、バンドＢともに従来のマスクを適用できることから、インク色数が多い場合においても、双方向ムラを低減しつつ処理速度向上を図ることができる。
【００７８】
以下に、本実施形態で用いる淡インクについて説明する。
【００７９】
ライトシアンインク
（１）分散液の作製
上記シアンインクについての説明と同様の原料および作製方法により、顔料濃度が１０質量％のシアン分散体を作製した。
【００８０】
（２）インクの作製
インクの作製は、上記シアン分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度０．４％の顔料インクを調製した。
・上記シアン分散液          ４部
・グリセリン              １０部
・ジエチレングリコール    １０部
・アセチレングリコールＥＯ付加物（川研ファインケミカル株式会社製）  ０．５部
・イオン交換水        ７５．５部
【００８１】
ライトマゼンタインク
（１）分散液の作製
上記マゼンタインクについての説明と同様の原料および作製方法により、顔料濃度が１０質量％のマゼンタ分散体を作製した。
【００８２】
（２）インクの作製
インクの作製は、上記マゼンタ分散液を使用し、これに以下の成分を加えて所定の濃度にする。そして、これらの成分を十分に混合撹拌した後、ポアサイズ２．５μｍのミクロフィルター（富士フイルム製）にて加圧濾過し、顔料濃度０．８％の顔料インクを調製した。
・上記マゼンタ分散液        ８部
・グリセリン              １０部
・ジエチレングリコール    １０部
・アセチレングリコールＥＯ付加物（川研ファインケミカル株式会社製）  ０．５部
・イオン交換水        ７１．５部
【００８３】
（第７実施形態）
上述の第１〜第６の実施形態は、吐出量一定の記録ヘッドを用いる場合であるが、本実施形態は、大、小のインク滴を吐出できる大小ノズルを有する記録ヘッドを用いて記録する形態に関するものである。
【００８４】
＜装置構成＞
本実施形態のインクジェット記録装置は、図１に示す記録ヘッド１０２のノズル構成以外の構成は上述各実施形態の記録装置と同様である。本実施形態の記録ヘッド１０２のノズル構成は、列数およびノズル配置は第１実施形態と同様であるが、ノズル列の４列のうち２列は大きいノズル径のノズルであって、他の２列は小さいノズル径のノズルが配置されている。それぞれの大きさのノズルによる吐出量はそれぞれ４ｐｌ、１０ｐｌである。また、本実施形態の記録装置は記録ヘッドを構成する吐出基板間の製造ばらつきによるノズル径差、吐出量差に起因する濃度差の解消のため、同じ階調に対して平均吐出量が同程度になるように大小ノズルの使用比率を変えて記録を行なう。大小ノズルの使用比率のデータは記録ヘッド１０２に備えられた不図示のＲＯＭに記録されており、記録装置はそのデータを参照して処理を行なう。
【００８５】
＜マスクを用いた各色のインク付与量制御＞
本実施形態のマスクパターンの設定は、バンドＡについては、図２０（ａ）に示す処理のうち、ステップＳ９０１で否定判断されたインクに関して、ステップＳ１００１の内容を変更し、そのインクの１パス目に該当する記録許容比率を１パス目以外のパスに分配するのではなく、１パス目以外のパスの小ドットを大ドットに変換する。また、バンドＢにおいても、図２０（ｂ）に示す処理のうち、ステップＳ９０４またはＳ１７０２で、否定判断されたインクに関して、ステップＳ１００２の内容を変更し、そのインクの最終パスに該当する記録許容比率を最終パス以外のパスに分配するのではなく、最終パス目以外のパスの小ドットを大ドットに変換する。
【００８６】
（第８実施形態）
上述の第１〜第７の実施形態では、総てのバンドにおいて、どの隣接するバンド間でもインクの付与順序を一致させることができるが、隣接するバンド間でパス数が異なるインクが存在する場合があり、そのインクに着目すると、インク付与順序が一致しても、パス数の差に起因した濃度むら（時間差むら）が生じることがある。本実施形態は、このような隣接バンド間でパス数が異なるインクについて、同じ走査における単一インク滴同士が接触して形成される連結ドットの生成頻度が相対的に高くなるように制御する形態に関する。
【００８７】
図２１（ａ）および（ｂ）は、本発明の第８実施形態に係るマルチパス双方向記録で用いるマスクパターンの設定処理を示すフローチャートである。同図（ａ）は、バンドＡの記録に用いるマスク設定処理を示し、同図（ｂは、バンドＢの記録に用いるマスク設定処理を示している。
【００８８】
バンドＡについては、ステップＳ９０１で、肯定判断された往復走査中の記録ヘッド１０２の最もＨＰ側に配置されたインクのノズル列については、ステップＳ９０２で、１パス目の記録許容比率（２５％）をそのままにしておき、ステップＳ２１０１で、そのインクのノズル列の１パス目と２パス目に対して、同じ走査における単一ドット同士が接触して形成される連結ドットの生成頻度が相対的に高くなるような記録許容画素の配置（記録許容比率）を定める。一方、バンドＢについては、ステップＳ９０４で、肯定判断定された往復記録走査中の記録ヘッド１０２の最もＢＰ側に配置されたインクのノズル列について、ステップＳ９０５で、最終Ｎ（＝４）パス目の記録許容比率（２５％）をそのままにしておき、ステップＳ２１０２で、そのインクのノズル列の最終パスとその直前パスに対して、同じ走査における単一ドット同士が接触して形成される連結ドットの生成頻度が相対的に高くなるような記録許容画素の配置（記録許容比率）を定める。
【００８９】
＜マスクを用いた各色のインク付与量制御＞
図２２（ａ）および（ｂ）は、本実施形態に係るマルチパス記録にも用いるマスクパターンを説明する図である。ここでは、シアン（Ｃ）、マゼンタ（Ｍ）、イエロー（Ｙ）、ブラック（Ｂｋ）をそれぞれの合計の記録許容比率が１００％となるマスクパターンを例に説明する。また、４パスのうち各パスのいずれかにおいて、すべての画素が非記録許容（“０”）のマスクパターン６００が用いられた場合には、マスクパターン６００が割り当てられたパスで本来用いられるはずであったマスクパターン（６０１〜６０４のいずれか）の記録許容比率は、別のパスのマスクパターンに分配する。
【００９０】
図２２（ａ）に示すバンドＡの記録に用いるマスクパターンにおいて、ステップＳ９０１で肯定判断されるＢｋのノズル列は、同じ走査における単一ドット同士が接触して形成される連結ドットの生成頻度が相対的に高くなるようにするため（Ｓ２１０１）、マスクパターン（ａ）−４は、１パス目と２パス目にマスクパターン６０１、６０２を割り当てずに、記録許容比率が（６０１＋６０２）／２となるマスクパターンを設定する。一方、図２２（ｂ）に示すバンドＢの記録に用いるマスクパターンにおいて、ステップＳ９０４で肯定判断されるＣは、同じ走査における単一ドット同士が接触して形成される連結ドットの生成頻度が相対的に高くなるように制御するため（Ｓ２１０２）、マスクパターン（ｂ）−１は、３パス目と４パス目にマスクパターン６０４、６０１を割り当てずに、記録許容比率が（６０４＋６０１）／２となるマスクパターンを設定する。
【００９１】
これにより、バンドＡの１パス目（往方向）は、記録ヘッド１０２のＢＰ側から順番にマスクパターン６００による記録許容比率０％でシアン（Ｃ）画像→マスクパターン６００による記録許容比率０％でマゼンタ（Ｍ）画像→マスクパターン６００による記録許容比率０％でイエロー（Ｙ）画像→マスクパターン（６０１＋６０２）／２による記録許容比率２５％でブラック（Ｂｋ）画像が記録される。続けて、バンドＡの２パス目（復方向）は、記録ヘッド１０２のＨＰ側から順番に、マスクパターン（６０１＋６０２）／２による記録許容比率２５％でブラック（Ｂｋ）画像→マスクパターン６０２による記録許容比率２５％でＹ画像→マスクパターン６０２による記録許容比率２５％でＭ画像→マスクパターン６０２による記録許容比率２５％でＣ画像が記録される。続けて、バンドＡの３パス目（往方向）は、記録ヘッド１０２のＢＰ側から順番に、マスクパターン６０３による記録許容比率２５％でＣ画像→マスクパターン６０３による記録許容比率２５％でＭ画像→マスクパターン６０３による記録許容比率２５％でＹ画像→マスクパターン６０３による記録許容比率２５％でＢｋ画像が記録される。続けて、バンドＡの４パス目（復方向）は、記録ヘッド１０２のＨＰ側から順番に、マスクパターン６０４による記録許容比率２５％でＢｋ画像→マスクパターン６０４による記録許容比率２５％でＹ画像→マスクパターン６０４による記録許容比率２５％でＭ画像→マスクパターン６０４による記録許容比率２５％でＣ画像が記録される。
【００９２】
一方、バンドＢの１パス目（復方向）は、記録ヘッド１０２のＨＰ側から順番に、マスクパターン６０２による記録許容比率２５％でＢｋ画像→マスクパターン６０２による記録許容比率２５％でＹ画像→マスクパターン６０２による記録許容比率２５％でＭ画像→マスクパターン６０２による記録許容比率２５％でＣ画像が記録される。続けて、バンドＢの２パス目（往方向）は、記録ヘッド１０２のＢＰ側から順番に、マスクパターン６０３による記録許容比率２５％でＣ画像→マスクパターン６０３による記録許容比率２５％でＭ画像→マスクパターン６０３による記録許容比率２５％でＹ画像→マスクパターン６０３による記録許容比率２５％でＢｋ画像が記録される。続けて、バンドＢの３パス目（復方向）は、記録ヘッド１０２のＨＰ側から順番に、マスクパターン６０４による記録許容比率２５％でＢｋ画像→マスクパターン６０４による記録許容比率２５％でＹ画像→マスクパターン６０４による記録許容比率２５％でＭ画像→マスクパターン（６０４＋６０１）／２による記録許容比率２５％でＣ画像が記録される。続けて、バンドＢの４パス目（往方向）は、記録ヘッド１０２のＢＰ側から順番に、マスクパターン（６０４＋６０１）／２による記録許容比率２５％でＣ画像→マスクパターン６００による記録許容比率０％でＭ画像→マスクパターン６００による記録許容比率０％でＹ画像→マスクパターン６００による記録許容比率０％でＢｋ画像が記録される。
【００９３】
ここで、バンドＡに着目すると、その領域のインク付与順は、Ｂｋ（５０％）→Ｙ（２５％）→Ｍ（２５％）→Ｃ（５０％）→Ｍ（２５％）→Ｙ（２５％）→Ｂｋ（５０％）→Ｙ（２５％）→Ｍ（２５％）→Ｃ（２５％）となる。また、バンドＢでは、その領域のインク付与順は、Ｂｋ（２５％）→Ｙ（２５％）→Ｍ（２５％）→Ｃ（５０％）→Ｍ（２５％）→Ｙ（２５％）→Ｂｋ（５０％）→Ｙ（２５％）→Ｍ（２５％）→Ｃ（５０％）となる。このように、本実施形態によれば、バンドＡとバンドＢにおいて、インク付与順序は一致する。これとともに、インク付与順序が最初のＢｋインクに着目すると、バンドＢではマスクパターン６０２＋６０１に相当するインクはすべて１パスで付与されているのに対して、バンドＡでもマスクパターン（６０１＋６０２）／２に相当するインクはすべて１パスで付与されている。また、インク付与順序が最後のＣインクに着目すると、バンドＡではマスクパターン６０４＋６０１に相当するインクはすべて１パスで付与されているのに対して、バンドＢでもマスクパターン（６０４＋６０１）／２に相当するインクはすべて１パスで付与されている。以上のように、本実施形態によれば、インクの付与順序を全バンドにおいて一致させることができ、かつインク付与の走査回数の差によるムラも低減できる。
【符号の説明】
【００９４】
１００    インクジェット記録装置
１０２    記録ヘッド
３０１    記録制御部
４０４  マスクデータ
【図１】
2017144588.tif 000003
【図２】
2017144588.tif 000004
【図３】
2017144588.tif 000005
【図４】
2017144588.tif 000006
【図５】
2017144588.tif 000007
【図６】
2017144588.tif 000008
【図７】
2017144588.tif 000009
【図８】
2017144588.tif 000010
【図９】
2017144588.tif 000011
【図１０】
2017144588.tif 000012
【図１１】
2017144588.tif 000013
【図１２】
2017144588.tif 000014
【図１３】
2017144588.tif 000015
【図１４】
2017144588.tif 000016
【図１５】
2017144588.tif 000017
【図１６】
2017144588.tif 000018
【図１７】
2017144588.tif 000019
【図１８】
2017144588.tif 000020
【図１９】
2017144588.tif 000021
【図２０】
2017144588.tif 000022
【図２１】
2017144588.tif 000023
【図２２】
2017144588.tif 000024